(57)【要約】監視装置１の監視制御部４は、監視カード３にカード選択信号により電源を供給して、フォトカプラ３３−５を導通させ、監視カード３を電源供給状態とすることで、監視カード３のみを監視情報の出力可能状態として、電源供給された監視カードのみから、監視情報用バス（共通信号線）を介して監視情報（信号レベル）を取得することができるようになる。また、監視制御部４は、カード選択信号を時分割で各監視カード３に供給し、ある時間に一つの監視カードのみから監視情報を取得するので、監視情報用の信号線を各監視カード３で共通化することができる。このため、監視情報用の信号線について、各監視カード毎に信号線を配線する必要がなくなり、信号線数を大幅に低減することができる。
2008107935.tif 000002
【特許請求の範囲】
【請求項１】
複数の被監視装置をそれぞれ監視する複数の監視カードと、
前記複数の監視カードから少なくとも一つの監視情報を取得する監視制御カードとを備え、
前記監視制御カードは、前記複数の監視カードの一つにカード選択信号を供給し、当該カード選択信号を受信した監視カードは、前記カード選択信号を受信している間導通するリレー素子を備え、前記監視制御カードは、当該リレー素子を導通させた状態の前記監視カードから前記監視情報を取得することを特徴とする監視装置。
【請求項２】
請求項１において、
監視カード毎に設けられ且つ前記複数の監視カードと前記監視制御カードとをそれぞれ接続する複数のカード選択信号線を介して、前記監視制御カードは前記カード選択信号を各監視カードに供給し、
監視情報毎に設けられ且つ前記複数の監視カードに共通の前記複数の監視カードと前記監視制御カードとを接続する共通信号線を介して、前記監視制御カードは前記監視情報を取得することを特徴とする監視装置。
【請求項３】
請求項２において、
前記監視制御カードは、時分割により、前記複数の監視カードそれぞれに順次カード選択信号を供給することを特徴とする監視装置。
【請求項４】
請求項１において、
前記監視情報は、前記被監視装置の所定の異常に対応する情報及び前記監視カードの実装に対応する情報を含むことを特徴とする監視装置。
【請求項５】
請求項４において、
前記監視情報は、さらに、前記監視装置の種別に対応する情報を含むことを特徴とする監視装置。
【請求項６】
請求項１において、
前記リレー素子は、入力側と出力側とを電気的に絶縁可能な素子であることを特徴とする監視装置。
【請求項７】
請求項６において、
前記リレー素子はフォトカプラであることを特徴とする監視装置。
【発明の詳細な説明】
【技術分野】
【０００１】  本発明は、複数の被監視装置をそれぞれ監視する複数の監視カードを実装する監視装置に関し、特に、各監視カードに電源供給することにより、各監視カードから所定の監視情報を取得する監視装置に関する。
【背景技術】
【０００２】  シェルフ構造を有する監視装置は、装置背面のシェルフに取り付けられたバックボードの各スロットに監視カードを実装する。監視装置は、例えば、無線移動システムにおける基地局装置に設けられ、各監視カードは、基地局装置が送受信する無線信号を増幅する無線信号増幅装置（被監視装置）を監視する。【０００３】  図１は、監視装置の全体構成を示す図である。図１の監視装置１では、装置背面のシェルフに設けられたバックボード２に１２の監視カード３−１〜３−１２（以下、各監視カードを区別しない場合は、監視カード３と記載する）が実装される。監視カード３は、それぞれ被監視装置（図示せず）と接続して、被監視装置の状態を監視し、監視情報を監視制御カード４に送信する。図１では、１２の監視カードが設けられるので、監視装置は１２の被監視装置を監視することができる。また、１２の監視カードを現用系と冗長系の２重化構成とする場合、１つの被監視装置に２つの監視カード３が割り当てられるので、６つの被監視装置を監視することとなる。【０００４】  また、監視制御カード４は、各監視カード３からさまざまな監視情報を収集し、上位装置に転送する機能を有する。監視制御カード４と監視カード３は、バックボード２の配線により接続されている。【０００５】  図２は、監視制御カード４と監視カード３間の従来のバックボード２の配線を説明する図である。監視制御カード４と各監視カード３間の配線では、監視制御カード４が取得する情報の数分の信号線数が必要となる。具体的には、一つの監視カード３における一つの信号に対して一本の信号線が必要となり、図２において、例えば、１２の監視カード３からそれぞれアラーム信号Ａ、アラーム信号Ｂ、正常動作信号、カード種別信号、カード実装信号の５つの信号を取得する場合、６０本（１２×５）の信号線が必要となり、監視制御カード４には、６０本の信号線が接続する。【０００６】  アラーム信号Ａは、被監視装置の異常の有無を示す信号であり、アラーム信号Ｂは、アラーム信号Ａの異常と異なる別の異常の有無を示す信号である。被監視装置の異常は、例えば、被監視装置が無線信号増幅装置である場合、増幅率の低下や動作停止などが想定される。アラーム信号の数は、監視する異常の種類の数に応じて設定される。【０００７】  正常動作信号は、被監視装置が正常に動作しているかどうかを示す信号であり、カード種別信号は、監視カード３の種類を表す信号である。複数種類の被監視装置を監視する場合は、被監視装置に応じて異なる種類の監視カード３が実装される場合があるので、監視カード３の種類を特定する必要がある。被監視装置が無線信号増幅装置である場合、無線の周波数帯により、無線信号増幅装置の種類も異なるので、基地局装置が複数の周波数帯を取り扱う場合は、複数種類の無線信号増幅装置が用いられ、それを識別する必要性が生じる。カード実装信号は、バックボード２のスロットに監視カード３が実装されているかどうかを示す信号である。【０００８】  図３は、監視制御カード４と接続する監視カード３のインターフェース回路を説明する図である。監視制御カード４において、各信号線にはプルアップ抵抗４１が接続しており、各信号線が接地し��いない場合は、監視制御カード４はＨレベルを検出し、各信号線が接地すると、監視制御カード４はＬレベルを検出する。すなわち、監視カード３は、信号線を接地するか否かにより、２値の状態信号を出力することになる。【０００９】  監視カード３において、アラーム信号Ａに関しては、被監視装置が正常に動作している場合、ゲート信号が入力されトランジスタ３１−１がＯＮ（導通）し、これにより、アラーム信号線Ａは接地する。すなわち、アラーム信号線ＡはＬレベルとなる。一方、アラーム信号線Ａに対応する異常が被監視装置に発生すると、ゲート信号の入力が止まり、トランジスタ３１−１がＯＦＦ（非導通）となり、これにより、アラーム信号線Ａは開放状態（非接地状態）となる。すなわち、アラーム信号線ＡはＨレベルとなる。このように、アラーム信号線ＡのＨレベルを検出することでアラーム信号線Ａに対応する異常を検出することができる。アラーム信号Ｂについても、同様に、被監視装置の異常発生によるゲート信号の入力停止により、トランジスタ３１−２がＯＦＦ（非導通）となることにより、アラーム信号線Ｂは非接地状態となり、監視制御カード４は、アラーム信号ＢのＨレベルを検出することでアラーム信号線Ｂに対応する異常を検出する。【００１０】  正常動作信号に関しても、被監視装置の正常動作によるゲート信号の入力によりトランジスタ３１−３がＯＮし、監視制御カード４は、Ｌレベルの検出により被監視装置の正常動作を認識する。【００１１】  アラーム信号線Ａ、Ｂ及び正常動作信号については、上述と逆の論理にすることも可能であるが、監視カード３に電源が供給されていない状態で、監視制御カード４が検出する各信号線の出力は、Ｈレベル（異常状態）となるようにしておくことが好ましい。仮に、論理を反転させてＨレベルで正常状態とすると、監視カード３に電源が供給されていない状態で（電源が供給されているものと誤認識された状態で）、被監視装置に異常が発生しても、各信号線の出力はＨレベルのままとなり、被監視装置の異常を検出できなくなるからである。このように、Ｈレベルで異常状態と判定するため、すなわち、正常動作時にＬレベルとするために、監視カード３に電源供給（電源ＯＮ）して、トランジスタ３１を正常動作時に導通させる必要がある。【００１２】  カード種別信号に関しては、監視カード３の種類により、カード種別信号の接地の有無を分け、監視制御カード４は、カード種別信号のレベルにより監視カード３の種類を検出する。接地させる場合は、例えばショート抵抗（０Ω抵抗）３２によりアース接続する。１本のカード種別信号により、２種類の識別が可能であり、３種類以上の監視カードを実装する場合は、２本以上のカード種別信号が設けられる。【００１３】  カード実装信号に関しては、スロットに監視カード３が実装されると、信号線はショート抵抗３２を介して接地され、監視制御カード４がＬレベルを検出することで、監視カード３の実装を検出することができる。このとき、監視カード３が電源ＯＮである必要はない。監視カード３が電源ＯＦＦであっても、監視カードの実装の有無を検出することができる。カード種別信号についても、監視カード３が電源ＯＦＦであっても、監視カ��ドの種類に応じて、カード種別信号のレベルを変化させることができる。【００１４】  このように、監視装置１０は、（信号の数）×（監視カードの数）分の信号線数が必要となるが、監視対象が増えて信号の数が増加したり、実装される監視カードの数を増加するにつれて、信号線の数が急激に増え、配線を多層構造にした高価なバックボード２が必要となってきている。【００１５】  上記特許文献１は、一本の信号線を複数の制御、監視信号で時分割して使用する電子交換機の加入者回路シェルフについて開示している。
【特許文献１】特開平１０−３２８４６号公報
【発明の開示】
【発明が解決しようとする課題】
【００１６】  上述したように、監視カードと監視制御カード間の信号線数を低減させる構成が要求されている一方で、同時に、カード種別信号及びカード実装信号のように、監視装置３の電源ＯＮ／ＯＦＦにかかわらず同一の信号レベル変化を生じさせるとともに、アラーム信号線Ａ、Ｂ及び正常動作信号のように、監視カード３の電源ＯＮを前提に信号のレベル変化を生じさせる必要がある。【００１７】  そこで、本発明の目的は、監視カードと監視制御カード間の信号線数を低減させ、且つ監視カード３に適切に電源供給して監視情報を取得することができる監視装置を提供することにある。
【課題を解決するための手段】
【００１８】  上記目的を達成するための本発明の監視装置の第一の構成は、複数の被監視装置をそれぞれ監視する複数の監視カードと、前記複数の監視カードから少なくとも一つの監視情報を取得する監視制御カードとを備え、前記監視制御カードは、前記複数の監視カードの一つにカード選択信号を供給し、当該カード選択信号を受信した監視カードは、前記カード選択信号を受信している間導通するリレー素子を備え、前記監視制御カードは、当該リレー素子を導通させた状態の前記監視カードから前記監視情報を取得することを特徴とする。【００１９】  本発明の監視装置の第二の構成は、上記第一の構成において、監視カード毎に設けられ且つ前記複数の監視カードと前記監視制御カードとをそれぞれ接続する複数のカード選択信号線を介して、前記監視制御カードは前記カード選択信号を各監視カードに供給し、監視情報毎に設けられ且つ前記複数の監視カードに共通の前記複数の監視カードと前記監視制御カードとを接続する共通信号線を介して、前記監視制御カードは前記監視情報を取得することを特徴とする。【００２０】  本発明の監視装置の第三の構成は、上記第二の構成において、前記監視制御カードは、時分割により、前記複数の監視カードそれぞれに順次カード選択信号を供給することを特徴とする。【００２１】  本発明の監視装置の第四の構成は、上記第一の構成において、前記監視情報は、前記被監視装置の所定の異常に対応する情報及び前記監視カードの実装に対応する情報を含むことを特徴とする。【００２２】  本発明の監視装置の第五の構成は、上記第四の構成において、前記監視情報は、さらに、前記監視装置の種別に対応する情報を含むことを特徴とする。【００２３】  本発明の第六の構成は、上記第一の構成において、前記リレー素子は、入力側と出力側とを電気的に絶縁可能な素子であることを特徴とする。【００２４】  本発明の第七の構成は、上記第六の構成において、前記リレー素子はフォトカプラであることを特徴とする。
【発明の効果】
【００２５】  本発明によれば、監視制御カードは、選択した一つの監視カードに電源供給を行うことで、電源供給された監視カードのみを監視情報の出力可能状態にして、電源供給を行った監視カードのみから監視情報を取得することができる。【００２６】  また、監視制御カードは、ある時間に一つの監視カードのみから監視情報を取得するので、複数の監視カードで監視情報用の信号線を共通化することで、信号線数を低減することができる。
【図面の簡単な説明】
【００２７】
【図１】監視装置の全体構成を示す図である。
【図２】監視制御カード４と監視カード３間の従来のバックボード２の配線を説明する図である。
【図３】監視制御カード４と接続する監視カード３のインターフェース回路を説明する図である。
【図４】本発明の実施の形態の監視装置１０における監視制御カード４と監視カード３間のバックボード２の配線を説明する図である。
【図５】本発明の実施の形態における監視カード３のインターフェース回路を示す図である。
【符号の説明】
【００２８】  １：監視装置、２：バックボード、３：監視カード、４：監視制御カード、３１：トランジスタ、３２：ショート抵抗、３３：フォトカプラ、４１：プルアップ抵抗
【発明を実施するための最良の形態】
【００２９】  以下、図面を参照して本発明の実施の形態について説明する。しかしながら、かかる実施の形態例が、本発明の技術的範囲を限定するものではない。【００３０】  図４は、本発明の実施の形態の監視装置１における監視制御カード４と監視カード３間のバックボード２の配線を説明する図である。図４では、図２の例と同様に、例えば、１２の監視カード３からそれぞれアラーム信号Ａ、アラーム信号Ｂ、正常動作信号、カード種別信号、カード実装信号の５つの監視情報を取得する場合の配線を示し、監視制御カード４が各信号を取得するためのそれぞれ１本ずつのアラームバスＡ、アラームバスＢ、正常動作バス、カード種別バス、カード実装バスと、さらに、監視カード３の数分（図４の例では１２）のカード選択信号が設けられる。すなわち、信号線の本数は、（監視情報の数）＋（監視カードの数）となり、図４の例では、１７（５＋１２）本となる。【００３１】  後述するように、監視制御カード４は、カード選択信号により選択した監視カード３に電源供給を行い、カード選択信号により電源供給された監視カード３から各監視情報を取得する。監視制御カード４は、カード選択信号を同時に複数の監視カード３に送ることはなく、一つずつ時分割で監視カード３を選択して電源供給する。すなわち、監視制御カード４は、ある時間において、一つの監視カード３のみから監視情報を取得するので、監視情報用の信号線（アラームバスＡ、アラームバスＢ、正常動作バス、カード種別バス、カード実装バス）を複数の監視カード３で共通化することができる。【００３２】  図５は、本発明の実施の形態における監視カード３のインターフェース回路を示す図である。図３と構成と同様に、監視制御カード４において、監視情報用の信号線（バス）にはプルアップ抵抗４１が接続しており、各バスが接地していない場合は、監視制御カード４はＨレベルを検出し、各バスが接地すると、監視制御カード４はＬレベルを検出する。すなわち、監視カード３は、バスが接地するか否かにより、２値の状態信号を出力することになる。また、監視カード３において、監視情報用のバスの状態変化は、各バスに接続するフォトカプラ３３−１〜３３−５（以下、各フォトカプラを区別しない場合は、フォトカプラ３３と記載する）のＯＮ（導通）／ＯＦＦ（非導通）により制御される。【００３３】  監視制御部４から所定の監視カード３にカード選択信号が送られると、カード選択信号が供給されている期間、フォトカプラ３３−５が導通し、監視カード３が電源供給状態となる。【００３４】  被監視装置が正常に動作している場合、ゲート信号が入力されトランジスタ３１−１がＯＮ（導通）し、これにより、アラーム信号線Ａは接地する。すなわち、アラーム信号線ＡはＬレベルとなる。【００３５】  この状態において、被監視装置が正常に動作している場合、光信号が入力されフォトカプラ３３−１はＯＮ（導通）するので、アラーム信号バスＡはフォトカプラ３３−５を介して接地する。すなわち、アラームバスＡのＬレベルとなる。一方、アラームバスＡに対応する異常が被監視装置に発生すると、光信号の入力が止まり、フォトカプラ３３−１がＯＦＦとなり、これにより、アラームバスＡは���接地除隊となる。すなわち、アラームバスＡはＨレベルとなる。このように、アラームバスＡのＨレベルを検出することで、アラーム信号線Ａに対応する異常を検出することができる。を検出することでアラームバスＡに対応する異常を検出することができる。アラームバスＢについても、同様に、被監視装置の異常発生による光信号の入力停止により、フォトカプラ３３−２が非導通となることにより、アラームバスＢは非接地状態となり、監視制御カード４は、アラームバスＢのＨレベルを検出することでアラームバスＢに対応する異常を検出する。【００３６】  正常動作バスに関しても、被監視装置の正常動作による光信号の入力によりフォトカプラ３３−３が導通し、監視制御カード４は、Ｌレベルの検出により被監視装置の正常動作を認識する。【００３７】  上述したように、アラームバスＡ、Ｂ及び正常動作バスは、Ｈレベルで被監視装置の異常状態と判定するため、すなわち、被監視装置の正常動作時にＬレベルとするために、フォトカプラ３３を被監視装置の正常動作時に導通させる必要があるが、そのために、本発明では、カード選択信号によりフォトカプラ３３−５を導通させることにより、カード選択信号を供給している間、監視カード３に電源供給を行うことで、フォトカプラ３３を被監視装置の正常動作時に導通させる。【００３８】  カード種別バスに関しては、監視カード３の種類により、フォトカプラ３３−４のＯＮ／ＯＦＦを分ける。カード選択信号は、フォトカプラ３３−３にも供給され、フォトカプラ３３−４がショート抵抗（０Ω抵抗）３２を介して接地している場合は、フォトカプラ３３−３は導通するので、これにより、カード種別バスはＬレベルとなり、フォトカプラ３３−４が接地されていない場合は、フォトカプラ３３−４は非導通のままなので、カード種別バスはＨレベルのままとなる。このカード種別のレベルにより監視カード３の種類が検出される。【００３９】  カード種別バスは、カード選択信号が供給されない場合は、監視カード３の種類にかかわらず、Ｈレベルとなるが、監視制御カード４は、カード選択信号を供給した監視カード３のみからカード種別バスのレベル（監視情報）を取得するので、カード選択信号を供給しているときと供給していないときでレベルが異なることは問題とならない。カード選択信号を供給することで、正しい監視情報を取得することできる。【００４０】  また、図３の場合と同様に、１本のカード種別バスにより、２種類の識別が可能であり、３種類以上の監視カードを実装する場合は、２本以上のカード種別バスが設けられる。【００４１】  カード実装バスに関しては、スロットに監視カード３が実装されると、カード選択信号をフォトカプラ３３−５に供給可能となり、カード選択信号がフォトカプラ３３−５に供給されてフォトカプラ３３−５が導通すると、カード実装バスは、フォトカプラ３３−５を介して接地する。これにより、監視制御カード４はカード実装バスのＬレベルを検出することで、監視カード３の実装を検出することができる。監視カードが実装されていないスロットにカード選択信号を供給しても、フォトカプラ３３−５は存在せず導通しないため、カード実装バスは接地せずＨレベルのままで��り、監視カード３が実装されていないことを検出する。このように、カード実装バスは、監視カードが実装されることで、
カード実装バスについても、カード種別バスと同様に、カード選択信号が供給されない場合は、監視カード３の実装／非実装にかかわらず、Ｈレベルとなるが、監視制御カード４は、カード選択信号を供給した監視カード３のみからカード実装バスのレベル（監視情報）を取得するので、カード選択信号を供給しているときと供給していないときでレベルが異なることは問題とならない。カード選択信号を供給することで、正しい監視情報を取得することできる。【００４２】  このように、本発明の実施の形態では、監視制御部４は、監視カード３にカード選択信号により電源を供給して、フォトカプラ３３−５を導通させ、監視カード３を電源供給状態とすることで、監視カード３のみを監視情報の出力可能状態として、電源供給された監視カードのみから、監視情報用バス（共通信号線）を介して監視情報（信号レベル）を取得することができるようになる。また、監視制御部４は、カード選択信号を時分割で各監視カード３に供給し、ある時間に一つの監視カードのみから監視情報を取得するので、監視情報用の信号線を各監視カード３で共通化することができる。このため、監視情報用の信号線について、各監視カード毎に信号線を配線する必要がなくなり、信号線数を大幅に低減することができる。【００４３】  さらに、カード選択信号を供給することにより、監視カード３に電源を供給する構成なので、監視カード３に電源が供給された状態における被監視装置の動作に関する監視情報（アラームバスＡ、Ｂ及び正常動作バス）を取得することができる。【００４４】  また、カード選択信号を供給することにより、監視カード３の種別及び監視カードの実装／非実装に関する監視情報を正しく取得することができる。【００４５】  本実施の形態では、監視カード３のリレー素子（スイッチング素子）としてフォトカプラを用いたが、従来と同様に、トランジスタであってもよい。本実施の形態では、監視情報を取得する際、監視制御カード４から監視カード３にカード選択信号が供給されるため、監視カード３におけるカード選択信号の受信による電気的影響を被監視装置側に及ぶ可能性がある（例えば、被監視装置の動作電圧（例えば数ミリボルト）が、監視カード３と監視制御カード間の電圧（例えば、数ボルト）よりはるかに小さい場合）。当該電気的な影響を除去するために、電気的に絶縁可能なリレー素子を用いることが好ましく、その一例として、フォトカプラが用いられる。
【産業上の利用可能性】
【００４６】  本発明は、移動無線システムの基地局装置に設けられる無線信号増幅装置を監視する監視装置に適用可能である。ただし、被監視装置は移動無線システムにかかる装置に限られるものではない。
【図１】
2008107935.tif 000003
【図２】
2008107935.tif 000004
【図３】
2008107935.tif 000005
【図４】
2008107935.tif 000006
【図５】
2008107935.tif 000007
【国際調査報告】
2008107935.tif 000008
2008107935.tif 000009
2008107935.tif 000010
2008107935.tif 000011